(57)【要約】【課題】可搬性と収納性に優れた音響構造体を提供する。【解決手段】音響構造体１０は、４つの側面板１２、１４、１３および１５と、２つの底面板１７および１６とにより取り囲まれ、一方向に延在する中空の四角柱をなしている。音響構造体１０は、側面板１４および１５を各々の折れ目ｘａ１およびｘａ２において折り曲げ、かつ、底面部１６および１７を各々の折れ目ｙａ１およびｙａ２において折り曲げつつ、側面板１２および１３を互いに接近させ、全体として扁平な板状をなすように畳むことができる。【選択図】図１
2011242554.tif 000002
【特許請求の範囲】
【請求項１】
４つの側面と、前記４つの側面のうち対向する２つの側面の各辺間に各々介在する２つの底面とにより取り囲まれ、前記２つの底面間の方向に延在する中空の四角柱をなし、
前記４つの側面のうちいずれか１つの側面には開口部を有し、開口部が設けられた側面とこの側面に対向する側面とを除いた２つの側面は、前記四角柱の延在方向に平行な折れ目を有し、前記２つの底面は、前記折れ目と同じ一つの平面をなす折れ目を各々有し、
前記２つの側面と前記２つの底面を各々の折り目において折り曲げることにより前記開口部が設けられた側面とこの側面に対向する側面とを互いに近接させて畳める構成としたことを特徴とする音響構造体。
【請求項２】
４つの側面により取り囲まれ、一方向に延在する中空の四角柱をなし、
前記４つの側面のうちいずれか１つの側面には開口部を有し、開口部が設けられた側面とこの側面に対向する側面とを除いた２つの側面は、前記四角柱の延在方向に平行な折れ目を有し、
前記第２つの側面を各々の折れ目において折り曲げることにより前記開口部が設けられた側面とこの側面に対向する側面とを互いに接近させて畳める構成としたことを特徴とする音響構造体。
【請求項３】
前記四角柱の両端のうち少なくとも一方の端部は、前記四角柱の内側に連通する開放面となっており、前記開放面を塞ぐようにして当該開放面となっている方の端部に固定されるキャップを有することを特徴とする請求項１または２に記載の音響構造体。
【請求項４】
請求項１〜３のいずれか１の請求項に記載の音響構造体を複数有し、各音響構造体を各々の延在方向を平行にして並列化し、隣り合った音響構造体同士を連結させたことを特徴とする調音装置。
【発明の詳細な説明】
【技術分野】
【０００１】
本発明は、音響空間における音響障害を防止する技術に関する。
【背景技術】
【０００２】
ホールや劇場などの壁に囲まれた音響空間では、平行対面する壁面間で音が繰り返し反射することによりブーミングやフラッターエコーなどの音響障害が発生する。特許文献１には、この種の音響障害の防止に好適な技術の開示がある。同文献に開示された音響構造体は、音響空間の内壁や天井などに設置して利用される。同文献に開示された音響構造体は、全体として平面をなすように並列配置された複数の角筒状のパイプを有している。これらのパイプは、同じ方向を向いた開口部を各々有している。そして、音響構造体は、各パイプの開口部を音響空間の中央に向けた状態で、音響空間の内壁や天井などに設置される。
【０００３】
音響空間内において発生した音は、音響構造体の各パイプの開口部を介して各々の内部の空洞に入射する。各パイプの空洞に入射した音はそれらのパイプの共鳴周波数に応じた定在波を発生させる。各パイプの空洞内で発生した定在波は各パイプの開口部から音響空間に向けて放射される。そして、この定在波の吸音効果と散乱効果により、音響空間内における音響障害の発生が防止される。
【先行技術文献】
【特許文献】
【０００４】
【特許文献１】特開２００２−３０７４４号公報
【発明の概要】
【発明が解決しようとする課題】
【０００５】
ところで、この種の音響構造体の利用者は、自身が音響空間において演奏するときだけその音響空間に音響構造体を設置し、それ以外のときは音響構造体を別の場所に収納しておきたい場合がある。しかしながら、特許文献１に開示された音響構造体は体積が大きいため、設置場所から収納場所への搬送が容易でなく、また、その収納に大きなスペースを要するという問題があった。
本発明は、このような背景の下に案出されたものであり、可搬性と収納性に優れた音響構造体を提供することを目的とする。
【課題を解決するための手段】
【０００６】
本発明は、４つの側面と、前記４つの側面のうち対向する２つの側面の各辺間に各々介在する２つの底面とにより取り囲まれ、前記２つの底面間の方向に延在する中空の四角柱をなし、前記４つの側面のうちいずれか１つの側面には開口部を有し、開口部が設けられた側面とこの側面に対向する側面とを除いた２つの側面は、前記四角柱の延在方向に平行な折れ目を有し、前記２つの底面は、前記折れ目と同じ一つの平面をなす折れ目を各々有し、前記２つの側面と前記２つの底面を各々の折り目において折り曲げることにより前記開口部が設けられた側面とこの側面に対向する側面とを互いに近接させて畳める構成としたことを特徴とする音響構造体を提供する。
本発明によると、音響構造体を折れ目に沿って折り曲げることができるので、各々を板状に折り曲げた複数の音響構造体を重ねて搬送したり、狭いスペースに重ねて収納したりすることが容易になる。
【図面の簡単な説明】
【０００７】
【図１】本発明の第１実施形態である音響構造体の斜視図および上面図である。
【図２】図１（Ａ）の切断線Ａ−Ａで音響構造体を切断したときの断面図である。
【図３】同音響構造体の側面板と直交する入射方向から閉管の共鳴周波数ｆａｎ，ｆｂｎを含む周波数帯域の入射波が側面板に入射したときの反射波の挙動を示す図である。
【図４】本発明の第２実施形態である調音装置の斜視図である。
【図５】本発明の第３実施形態である調音装置の斜視図である。
【図６】同調音装置の音響構造体の右側面図である。
【図７】本発明の他の実施形態である調音装置の音響構造体の右側面図である。
【図８】本発明の他の実施形態である調音装置の音響構造体の右側面図である。
【図９】本発明の他の実施形態である調音装置の音響構造体の右側面図である。
【発明を実施するための形態】
【０００８】
以下、図面を参照しつつ本発明の実施形態について説明する。
＜第１実施形態＞
図１（Ａ）および（Ｂ）は、この発明の第１実施形態である音響構造体１０の構成を示す斜視図である。図１（Ａ）に示すように、音響構造体１０は、４つの側面板１２、１４、１３および１５と、２つの底面板１６よび１７とにより取り囲まれ、底面板１６及び１７間の方向に延在する中空の四角柱をなしている。ここで、４つの側面板１２、１４、１３および１５のうち側面板１２は、開口部１１を有している。
【０００９】
そして、側面板１２、１４、１３および１５のうち開口部１１を有する側面板１２とこれに対向する側面板１３とを除いた側面板１４および１５は、四角柱の延在方向に平行な折れ目ｘａ１およびｘａ２を有している。また、側面板１４と側面板１５とは互いに対向している。さらに、底面板１６および１７は、この側面板１４および１５の各折れ目ｘａ１およびｘａ２と同じ一つの平面をなす折れ目ｙａ１およびｙａ２を各々有している。
【００１０】
音響構造体１０は、図１（Ｂ）に示すように、側面板１４および１５を各々の折れ目ｘａ１およびｘａ２において折り曲げ、かつ、底面板１６および１７を各々の折れ目ｙａ１およびｙａ２において折り曲げつつ、側面板１２および１３を互いに接近させ、全体として扁平な板状をなすように畳むことができる。図１（Ｃ）は、この扁平な板状に畳まれた音響構造体１０を側面板１２側から見た平面図である。
【００１１】
また、底面板１６および１７の各々と側面板１４および１５との各間にはフィルム２０、２１、２２および２３が各々介在している。側面板１４および１５並びに底面板１６および１７が各々の折り目において折れ曲がり、底面１６および１７と側面板１４および１５の間の距離が変化したときに、その距離の変化に合わせてフィルム２０、２１、２２および２３が変形する。
【００１２】
側面板１２、１４、１３および１５並びに底面板１６および１７は、音を反射する素材であることが求められる。一方、本実施形態による音響構造体１０は、図１（Ｃ）に示すように折り畳んだり、図１（Ａ）に示すように折り畳んでいない状態に戻せるものでなくてはならない。従って、音響構造体１０において、稜線を境界として隣り合った各板（例えば側面板１２および１４）の互いの間の角度が自在に変化し得るものでなければならない。
【００１３】
また、側面板１４および１５は、各々の折れ目ｘａ１およびｘａ２において折れ曲げることができ、底面板１６および１７は、各々の折れ目ｙａ１およびｙａ２において折れ曲げることができなければならない。このような板表面における音の反射性を実現しつつ板間の自在な角度調整および折れ目における折り曲げを可能にするための構成としては、各種のものが考えられるが、例えば次のような構成を採用してもよい。すなわち、自在に折り曲げることが可能で気密性のある素材（例えば、伸縮性のある膜）により構成された四角柱の殻体の上に、稜線および折れ目となる領域を避けて、アクリル樹脂等の剛性率の高い材質の反射性の板材を貼り付けた構成である。
【００１４】
以上が、音響構造体１０の構成の詳細である。利用者は、図１（Ａ）に示す状態とした音響構造体１０の開口部１１を音響空間の中央に向け、その側面板１３を音響空間内の壁や天井に固定する。このようにして音響空間内に備え付けられた音響構造体１０は、吸音効果及び散乱効果を発生させ、音響空間から音響構造体１０に向かって伝搬される音波の音響エネルギーを散逸させる。音響構造体１０による吸音効果及び散乱効果の発生の原理は次の通りである。
【００１５】
図２は、図１（Ａ）の切断線Ａ−Ａで音響構造体１０を切断したときの断面図である。図２に示すように、音響構造体１０における開口部１１の奥の空洞には、開口部１１を開口端とし空洞の左側の端部を閉口端とする音響管２５と、開口部１１を開口端とし空洞の右側の端部を閉口端とする音響管２６とが形成されているとみなすことができる。音響空間から開口部１１を介して空洞内に音波が入射すると、空洞内では、音響管２５の開口端（開口部１１）から閉口端（空洞の左側の端部）に向かう進行波と、音響管２６の開口端（開口部１１）から閉口端（空洞の右側の端部）に向かう進行波とが発生する。そして、前者の進行波は、音響管２５の閉口端において反射され、その反射波が開口部１１へ戻る。また、後者の進行波は、音響管２６の閉口端において反射され、その反射波が開口部１１へ戻る。
【００１６】
そして、音響管２５では、下記式（１）に示す共鳴周波数ｆａｎ（ｎ＝１、２、…）において共鳴が発生し、音響管２５内において進行波と反射波とを合成した音波は、音響管２５の閉口端に粒子速度の節を有し、開口端に粒子速度の腹を有する定在波となる。また、音響管２６では、下記式（２）に示す共鳴周波数ｆｂｎ（ｎ＝１、２、…）において共鳴が発生し、音響管２６内において進行波と反射波とを合成した音波は、音響管２６の閉口端に粒子速度の節を有し、開口端に粒子速度の腹を有する定在波となる。なお、下記式（１）および（２）において、Ｌａは音響管２５の延在方向の長さ（空洞の左側の端部から開口部１１までの長さ）、Ｌｂは音響管２６の延在方向の長さ（空洞の右側の端部から開口部１１までの長さ）、ｃは音波の伝搬速度、ｎは１以上の整数である。
ｆａｎ＝（２ｎ−１）・（ｃ／（４・Ｌａ））  （ｎ＝１，２…）…（１）
ｆｂｎ＝（２ｎ−１）・（ｃ／（４・Ｌｂ））  （ｎ＝１，２…）…（２）
【００１７】
ここで、音響空間から開口部１１および側面板１２における開口部１１の近傍に入射する音波のうち共鳴周波数ｆａｎの成分に着目すると、音響管２５の閉口端において反射されて開口部１１から音響空間へと放射される音波は、音響空間から開口部１１に入射する音波に対して逆相の音波となる。一方、側面板１２における開口部１１の近傍では、音響空間からの入射波が位相回転を伴うことなく反射される。
【００１８】
よって、図３に示すように、共鳴周波数ｆａｎ（ｎ＝１、２、…）の成分を含む音波が開口部１１を介して空洞に入射した場合、開口部１１から見て入射方向（図３の吸音領域）に対しては、音響管２５から開口部１１を介して放射される音波と側面板１２における開口部１１の近傍の各点から反射される音波が逆相となって互いの位相が干渉し合い、吸音効果が発生する。また、開口部１１からの音波と側面板１２からの反射波とが互いに隣接する散乱領域では、開口部１１からの音波と側面板１２からの反射波の位相が不連続となる。このような位相差のある波が隣接することにより、散乱領域付近では、位相の不連続を解消しようとする気体分子の流れが発生する。この結果、散乱領域付近では、入射方向に対する鏡面反射方向以外の方向への音響エネルギーの流れが発生し、散乱効果が発生する。同様に、共鳴周波数ｆｂｎ（ｎ＝１、２、…）の成分を含む音波が開口部１１を介して空洞に入射した場合、開口部１１への入射方向に鏡面反射する方向（図３の吸音領域）に対しては、吸音効果が発生する。また、散乱領域付近では、散乱効果が発生する。
【００１９】
また、共鳴周波数ｆａｎおよびｆｂｎの各々の近傍の周波数帯域においては、共鳴周波数ｆａｎまたはｆｂｎからずれていたとしても、周波数がある程度近ければ、開口部１１から音響空間に放射される音波の位相と側面板１２から音響空間に放射される反射波の位相とが逆相に近い関係になる。このため、共鳴周波数ｆａｎおよびｆｂｎの各々の近傍の周波数帯域では、共鳴周波数ｆａｎまたはｆｂｎに対する周波数の近さに応じた程度の吸音効果および散乱効果が発生する。
【００２０】
以上が、吸音効果および散乱効果の発生の原理である。本実施形態では、音響構造体１０の側面板１４および１５を各々の折れ目ｘａ１およびｘａ２において折り曲げ、かつ、底面部１６および１７を各々の折れ目ｙａ１およびｙａ２において折り曲げつつ、側面板１２および１３を互いに接近させ、全体として扁平な板状をなすように畳むことができる。よって、各々を扁平に折り曲げた複数の音響構造体１０を積み重ねて運搬したり、それらを狭小なスペースに纏めて収納することが容易になる。これにより、運搬、収納、流通、廃棄等における省スペース化とコストの負担の軽減とが実現される。また、この音響構造体１０では、底面板１６および１７の各々と側面板１４および１５との各間に伸縮自在なフィルム２０、２１、２２および２３を各々介在させている。よって、折り畳んでいない状態（図１（Ａ））にしたときに、互いに接触する各面１６，１７，１４，１５の間に充分な気密性を持たせることができる。これにより、開口部１１以外の部位において密閉された閉管２５及び２６が形成される。従って、大きな吸音効果及び散乱効果を得ることができる。
【００２１】
＜第２実施形態＞
図４は、本発明の第２実施形態である調音装置３０の構成を示す斜視図である。この調音装置３０は、３つの音響構造体１０−１，１０−２，１０−３を各々の延在方向を平行にして並列化し、隣り合ったものの折れ目ｘａ１及びｘａ２同士を連結させたものである。より具体的に説明すると、この調音装置３０では、音響構造体１０−１の折れ目ｘａ１と音響構造体１０−２の折れ目ｘａ２とがヒンジ３１，３２により連結されており、音響構造体１０−２の折れ目ｘａ１と音響構造体１０−３の折れ目ｘａ２とがヒンジ３３，３４により連結されている。
【００２２】
そして、この調音装置３０では、音響構造体１０−１の側面板１２−１における開口部１１−１は一方の底面板１６−１から距離Ｌ１Ａだけ離れた位置に設けられており、音響構造体１０−２の側面板１２−２における開口部１１−２は底面１６−１と同じ側の底面板１６−２から距離Ｌ２Ａ（Ｌ２Ａ≠Ｌ１Ａ）だけ離れた位置に設けられており、音響構造体１０−３の側面板１２−３における開口部１１−３は底面１６−１と同じ側の底面板１６−３から距離Ｌ３Ａ（Ｌ３Ａ≠Ｌ１Ａ≠Ｌ２Ａ）だけ離れた位置に設けられている。
【００２３】
この調音装置３０では、音響構造体１０−１，１０−２，１０−３をそれぞれ連結した状態のまま板状に折り畳んだり元に戻したりすることができる。また、この調音装置３０では、音響構造体１０−１，１０−２，１０−３の各底面板１６−１，１６−２，１６−３から開口部１１−１，１１−２，１１−３までの距離Ｌ１Ａ，Ｌ２Ａ，Ｌ３Ａがそれぞれ異なる。よって、音響構造体１０−１，１０−２，１０−３の各々の内部に形成される閉管の共振周波数は異なる。従って、第１実施形態の音響構造体１０よりも広い周波数帯域において吸音効果や散乱効果を奏することができる。
【００２４】
＜第３実施形態＞
図５は、本発明の第３実施形態である調音装置３０Ａの構成を示す斜視図である。この調音装置３０Ａは、音響構造体５０と１対のキャップ８０Ｌ，８０Ｒまたは８１Ｌ，８１Ｒとを有する。図５に示すように、調音装置３０Ａの音響構造体５０は、４つの側面板５４、５５、５６および５７により囲まれ、一方向に延在する中空の四角柱をなしている。４つの側面板５４、５５、５６および５７のうちの側面板５４は、音響構造体１０−１，１０−２，１０−３（図４）の側面板１２−１，１２−２，１２−３を繋げて一枚板としたものである。側面板５４と対向する側面板５５の寸法は、側面板５４の寸法と同じである。側面板５６と側面板５７の間には、両板５６および５７と側面板５４および５５とに囲まれた四角柱内を３つの中空の四角柱に仕切る仕切板５８，５９が配されている。そして、この音響構造体５０では、側面板５４および５５とそれら以外の４つの板５６，５７，５８，５９とが、各々の接合部位が折れ目ｘｃ１，ｘｃ２，ｘｃ３，ｘｃ４，ｘｃ５，ｘｃ６，ｘｃ７，ｘｃ８となるように接合されている。接合部位が折れ目となるような接合の態様としては、種々のものが考えられる。たとえば、側面板５６および５７と仕切板５８および５９の各々の端部を接合部５６１，５６２，５７１，５７２，５８１，５８２，５９１，５９２とし、接合部５６１，５６２，５７１，５７２，５８１，５８２，５９１，５９２を折り曲げて側面板５４および５５の面に接合するとよい。
【００２５】
より詳細に説明すると、図６（Ａ）の右側面図に示すように、側面板５６の接合部５６１，５６２は内側に折れ曲がり、折れ曲がった接合部５６１，５６２は側面板５４，５５の内側の面における一方の端の近傍に接合されている。同様に、側面板５７の接合部５７１，５７２は内側に折れ曲がり、折れ曲がった接合部５７１，５７２は側面板５４，５５の内側の面における他方の端の近傍に接合されている。
【００２６】
また、側面板５８の接合部５８１，５８２は相反する方向に折れ曲がり、折れ曲がった接合部５８１，５８２が側面板５４，５５の内側の面における一方の端から距離ｄだけ内側の部位に接合されている。この距離ｄは、側面板５６と側面板５７の間の距離の１／３の距離である。側面板５９の接合部５９１，５９２は相反する方向に折れ曲がり、折れ曲がった接合部５９１，５９２が側面板５４，５５の内側の面における他方の端から距離ｄだけ内側に接合されている。
【００２７】
キャップ８０Ｌ，８０Ｒの各々は、長方形状をなす嵌合面板８３の４辺から幅薄の縁板８４を起立させたものである。キャップ８１Ｌ，８１Ｒの各々は、平行四辺形をなす嵌合面板８５の４辺から幅薄の縁板８６を起立させたものである。キャップ８０Ｌ，８０Ｒの各々の嵌合面板８３は２組の対角の各々が９０度であるのに対し、キャップ８１Ｌ，８１Ｒの各々の嵌合面板８５は１つの対角の角度が１２０度でもう１つの対角の角度が６０度である。
【００２８】
音響構造体５０における側面板５４，５５，５６，５７と仕切板５８，５９における延在方向の両側の端部は、それらの板５４，５５，５６，５７，５８，５９に囲まれた四角柱の内側に連通する開放面６０，６１，６２を構成している。利用者は、音響空間において音響構造体５０を利用するときは、その延在方向における両側の開放面６０，６１，６２にキャップ８０Ｌ，８０Ｒまたはキャップ８１Ｌ，８１Ｒを固定する。音響構造体５０の開放面６０，６１，６２にキャップ８０Ｌ，８０Ｒが固定されると、この音響構造体５０の開放面６０，６１，６２がキャップ８０Ｌ，８０Ｒの嵌合面板８３によって塞がれ、板５４，５５，５６，５７，５８，５９とキャップ８０Ｌ，８０Ｒの嵌合面板８３とにより取り囲まれた音響管が音響構造体５０内に形成される。また、音響構造体５０の開放面６０，６１，６２にキャップ８１Ｌ，８１Ｒが固定されると、この音響構造体５０の開放面６０，６１，６２がキャップ８１Ｌ，８１Ｒの嵌合面板８５によって塞がれ、板５４，５５，５６，５７，５８，５９とキャップ８１Ｌ，８１Ｒの嵌合面板８５とにより取り囲まれた音響管が音響構造体５０内に形成される。音響構造体５０の開放面６０，６１，６２にキャップ８０Ｌ，８０Ｒが固定された場合、図６（Ａ）の右側面図に示すように、音響構造体５０は側面板５４，５５と側面板５６，５７および仕切板５８，５９とが直交した姿勢となる。また、音響構造体５０の開放面６０，６１，６２にキャップ８１Ｌ，８１Ｒが固定された場合、図６（Ｂ）の右側面図に示すように、音響構造体５０は側面板５４，５５に対して側面板５６，５７および仕切板５８，５９が傾斜した姿勢となる。
【００２９】
また、利用者は、音響空間内における音響構造体５０の利用を終えたときは、開放面６０，６１，６２に固定されているキャップ８０Ｌ，８０Ｒまたは８１Ｌ，８１Ｒを外す。その後、図６（Ｃ）の右側面図に示すように、音響構造体５０を、折れ目ｘｃ１，ｘｃ２，ｘｃ３，ｘｃ４，ｘｃ５，ｘｃ６，ｘｃ７，ｘｃ８において折り曲げつつ、側面板５４および５５を近接させ、全体として扁平な板状をなすように畳むことができる。
【００３０】
この調音装置３０Ａでは、音響構造体５０の開放面６０，６１，６２に固定するキャップ８０，８１の種類を変えることにより、側面板５４，５５と側面板５６，５７および仕切板５８，５９とが直交した姿勢と側面板５４，５５に対して側面板５６，５７および仕切板５８，５９が傾斜した姿勢の２つの姿勢で当該調音装置３０Ａを利用することができる。よって、側面板５４と側面板５５の幅厚を薄くしないと入らないような狭い場所に設置するときはキャップ８１Ｌ，８１Ｒを固定し、そうでない場合はキャップ８０Ｌ，８０Ｒを固定する、というように、音響空間内における調音装置３０Ａの設置場所の幅厚にあった姿勢で利用することができる。
【００３１】
また、音響構造体５０内の空間の断面積の大きさはキャップ８０Ｌ，８０Ｒを固定した場合とキャップ８１Ｌ，８１Ｒを固定した場合とで異なるため、吸音効果及び散乱効果の大きさの程度はキャップ８０Ｌ，８０Ｒを固定した場合とキャップ８１Ｌ，８１Ｒを固定した場合とで異なる。よって、本実施形態では、使用するキャップ８０Ｌ，８０Ｒ及び８１Ｌ，８１Ｒの種類を変えることにより、音響効果及び散乱効果の大きさの程度を変えることができる。
【００３２】
以上、この発明の一実施形態について説明したが、この発明には他にも実施形態があり得る。例えば、以下の通りである。
（１）上記第１実施形態では、音響構造体１０は直方体状をなしていた。しかし、音響構造体１０を三角柱状としてもよい。この場合において、軸を包囲する３つの側面板のうち１つの側面板にその延在方向と平行な折れ目を設け、折れ目を設けた側面板をその折れ目において山折りまたは谷折りに折り曲げられるように構成するとよい。
【００３３】
（２）上記第２実施形態では、調音装置３０をなす音響構造体１０−１の折れ目ｘａ１と音響構造体１０−２の折れ目ｘａ２がヒンジ３１，３２により連結され、音響構造体１０−２の折れ目ｘａ１と音響構造体１０−３の折れ目ｘａ２がヒンジ３３，３４により連結されていた。しかし、各々の折れ目ｘａ１と折れ目ｘａ２を突き合わせ、その状態で付き合わせ箇所に接着剤を塗布した布を貼付するなどしてもよい。
【００３４】
（３）上記第３実施形態において、調音装置３０Ａの音響構造体５０における側面板５６，５７および仕切板５８，５９自体に折れ目ｘｄ１，ｘｄ２，ｘｄ３，ｘｄ４を設けてもよい。この実施形態では、図７（Ａ）の側面図に示すように、音響空間内において調音装置３０Ａを利用するときは、側面板５６，５７および仕切板５８，５９を折り曲げることなく起立させておく。そして、図７（Ｂ）の側面図に示すように、音響空間内における調音装置３０Ａの利用を終えたときは、側面板５６，５７および仕切板５８，５９の各々を折れ目ｘｄ１，ｘｄ２，ｘｄ３，ｘｄ４においてくの字に折り曲げて扁平な板状にする。
【００３５】
（４）上記第１および第２実施形態において、底面板１６，１７およびフィルム２０，２１，２２，２３を無くし、音響構造体１０，１０−１，１０−２，１０−３内に開管が形成されるような構成としてもよい。
【００３６】
（５）上記第２実施形態では、３つの音響構造体１０−１，１０−２，１０−３における隣り合った折れ目ｘａ１及びｘａ２同士がそれぞれヒンジ３１及び３２、ヒンジ３３及び３４により連結されていた。しかし、隣り合った音響構造体１０−１，１０−２，１０−３における折れ目ｘａ１及びｘａ２以外の部分を連結してもよい。図８は、この実施形態の第１の例である調音装置３０Ｂの右側面図である。図９は、この実施形態の第２の例である調音装置３０Ｃの右側面図である。
【００３７】
図８に示すように、調音装置３０Ｂは、４つの音響構造体６０−１，６０−２，６０−３、６０−４からなる。そして、音響構造体６０−１，６０−２，６０−３、６０−４の各々は、４つの側面板６１，６２，６３，６４により取り囲まれ、一方向に延在する中空の四角柱状をなしている。４つの側面板６１，６２，６３，６４のうち側面板６１には開口部（不図示）が設けられている。また、各音響構造体６０−１，６０−２，６０−３、６０−４では、互いに向かい合う側面板６１および６２と側面板６３および６４とが、各々の接合部位が折れ目となるように接合されている。この調音装置３０Ｂでは、音響構造体６０−１における側面板６１と側面板６４の接合部位である折れ目と音響構造体６０−２における側面板６２と側面板６３の接合部位である折れ目とがヒンジ７０により連結されている。また、音響構造体６０−２における側面板６１と側面板６４の接合部位である折れ目と音響構造体６０−３における側面板６２と側面板６３の接合部位である折れ目とがヒンジ７１により連結されている。また、音響構造体６０−３における側面板６１と側面板６４の接合部位である折れ目と音響構造体６０−４における側面板６２と側面板６３の接合部位である折れ目とがヒンジ７２により連結されている。この調音装置３０Ｂは、音響構造体６０−１，６０−２，６０−３、６０−４を、図８に示す矢印方向に折り曲げることにより、全体として扁平な板状をなすように畳むことができる。
【００３８】
図９に示すように、調音装置３０Ｃは、４つの音響構造体８０−１，８０−２，８０−３、８０−４からなる。そして、音響構造体８０−１，８０−２，８０−３、８０−４の各々は、４つの側面板８１，８２，８３，８４により取り囲まれ、一方向に延在する中空の四角柱状をなしている。４つの側面板８１，８２，８３，８４のうち側面板８１には開口部（不図示）が設けられている。また、各音響構造体８０−１，８０−２，８０−３、８０−４では、互いに向かい合う側面板８１および８３と側面板８２および８４とが、各々の接合部位が折れ目となるように接合されている。この調音装置３０Ｃでは、音響構造体８０−１における側面板８４と側面板８２の接合部位である折れ目と音響構造体８０−２における側面板８２と側面板８３の接合部位である折れ目とがヒンジ９０により連結されている。また、音響構造体８０−２における側面板８２と側面板８４の接合部位である折れ目と音響構造体８０−３における側面板８２と側面板８３の接合部位である折れ目とがヒンジ９１により連結されている。また、音響構造体８０−３における側面板８２と側面板８４の接合部位である折れ目と音響構造体８０−４における側面板８２と側面板８４の接合部位である折れ目とがヒンジ９２により連結されている。この調音装置３０Ｃは、音響構造体８０−１，８０−２，８０−３、８０−４を、図９に示す矢印方向に折り曲げることにより、全体として扁平な板状をなすように畳むことができる。
【００３９】
（６）上記第１実施形態では、側面板１４及び１５に折れ目ｘａ１及びｘａ２が設けられていた。しかし、開口部１１を有する側面板１２とこれに対向する側面板１３に折れ目を設けてもよい。
【符号の説明】
【００４０】
１０，１０−１，１０−２，１０−３…音響構造体、１１，１１−１，１１−２，１１−３…開口部、１２，１２−１，１２−２，１２−３，１３，１４，１５，５４，５５，５６，５７…側面板、１６，１６−１，１６−２，１６−３，１７…底面板、２０，２１，２２，２３…フィルム、５９，６０…仕切板、３０，３０Ａ…調音装置、８０，８０Ａ…キャップ。
【図１】
2011242554.tif 000003
【図２】
2011242554.tif 000004
【図３】
2011242554.tif 000005
【図４】
2011242554.tif 000006
【図５】
2011242554.tif 000007
【図６】
2011242554.tif 000008
【図７】
2011242554.tif 000009
【図８】
2011242554.tif 000010
【図９】
2011242554.tif 000011